(57)【要約】【課題】ＥＴＣシステムなどのＤＳＲＣ（専用狭域通信）システムにおける断面略円形状の長尺構造物６０の周囲に該長尺構造物６０を覆うように設置される電波吸収シートについて、設置作業およびメンテナンス作業を容易化できるようにする。【解決手段】電波吸収シート１０を、可撓性を有していて所定周波数の電波を吸収するシート本体３０と、このシート本体３０を断面湾曲状に保持する保持体２０とを備えたものとする。【選択図】図３
2009239211.tif 000002
【特許請求の範囲】
【請求項１】
長尺構造物の周囲に該長尺構造物を覆うように設置される電波吸収シートであって、
可撓性を有し、所定周波数の電波を吸収するシート本体と、
上記シート本体を断面湾曲状に保持する保持体とを備えていることを特徴とする電波吸収シート。
【請求項２】
請求項１に記載の電波吸収シートにおいて、
保持体は、長尺構造物における長さ方向の少なくとも一部を囲繞可能な管材が周方向において複数に分割されてなり、
シート本体は、上記保持体に積層状態に保持されていることを特徴とする電波吸収シート。
【請求項３】
請求項２に記載の電波吸収シートにおいて、
保持体は、管材が周方向において略等分に２分割されてなることを特徴とする電波吸収シート。
【請求項４】
請求項１に記載の電波吸収シートにおいて、
シート本体は、接着剤により保持体に貼着されていることを特徴とする電波吸収シート。
【請求項５】
請求項１に記載の電波吸収シートにおいて、
シート本体は、止着具により保持体に止着されていることを特徴とする電波吸収シート。
【請求項６】
請求項１に記載の電波吸収シートにおいて、
シート本体は、該シート本体に入射された電波の一部を透過させつつ減衰させる電波吸収層と、上記電波吸収層の長尺構造物側に位置するように該電波吸収層に積層され、該電波吸収層を透過した上記一部の電波を反射する電波反射層とを有することを特徴とする電波吸収シート。
【請求項７】
請求項１に記載の電波吸収シートを長尺構造物の周囲に該長尺構造物を覆うように設置する電波吸収シートの設置方法であって、
上記長尺構造物に対し、複数の上記電波吸収シートを該複数の電波吸収シートのシート本体が上記長尺構造物における長さ方向の少なくとも一部を略全周に亘って囲繞するように配置し、
しかる後、上記複数の電波吸収シートを結束して該複数の電波吸収シートを設置することを特徴とする電波吸収シートの設置方法。
【発明の詳細な説明】
【技術分野】
【０００１】
本発明は、ＥＴＣ（Electronic Toll Collection）システムにおける料金所のキャノピーの支柱などの長尺構造物の周囲に該長尺構造物を覆うように設置される電波吸収シートに関し、特にその設置作業を容易化する対策に関する。
【背景技術】
【０００２】
例えば、ＥＴＣシステムにおける料金所では、路側機から発せられた電波が周辺構造物により乱反射するのを抑えるべく、特許公報１に記載されているように、粉体状の損失材料を樹脂などのバインダで固形化されてなる電波吸収層と、その一方の面に積層された電波反射層とを有してなる電波吸収体が構造物の表面に該表面を覆うように設置される。
【０００３】
その際に、料金所のブース上方に配置されているキャノピーの下面などを平面状に覆う場合には、特許公報２に記載されているように、電波吸収ボードが用いられる。
【０００４】
そして、キャノピーの丸パイプ状の支柱などの長尺構造物を曲面状に覆う場合には、特許公報３に記載されているように、曲げ加工がしやすいように比較的薄く（例えば、２ｍｍ程度）て可撓性を有する電波吸収シートが用いられており、そのような電波吸収シートは長尺構造物を囲繞するように設置される。
【０００５】
上記電波吸収シートの具体的な設置方法としては、長尺構造物の周囲に該長尺構造物を覆うように下地材を設置してその下地材上に電波吸収シートを貼着したり、又は長尺構造物の断面形状が滑らかな曲面の場合には、下地材は使用せず、長尺構造物の表面に直接に電波吸収シートを貼着するようになされる。
【特許文献１】特開２００４−１４６６１１号公報（第３〜５頁、図１）
【特許文献２】特開平１１−０４４０１８号公報（第２，３頁、図１）
【特許文献３】特開２００３−２３４５９３号公報（第３，４頁、図１）
【発明の開示】
【発明が解決しようとする課題】
【０００６】
ところで、電波吸収シートは、可撓性を有するといえども腰がかなり強いため、見栄え良く曲面状に設置するのは困難であって熟練を要するという問題がある。
【０００７】
また、直接に長尺構造物に貼着する場合には、メンテナンス性が良くないという問題もある。
【０００８】
本発明は斯かる諸点に鑑みてなされたものであり、その主な目的は、ＥＴＣシステムなどのＤＳＲＣ（Dedicated Short Range Communication 〔専用狭域通信〕）システムにおける長尺構造物の周囲に設置される電波吸収シートについて、設置作業およびメンテナンス作業に手間が掛からないようにすることにある。
【課題を解決するための手段】
【０００９】
上記の目的を達成すべく，本発明では、電波吸収シートを予め断面湾曲状に曲げて保持体に保持させておき、それを長尺構造物の周囲に設置するようにした。
【００１０】
具体的には、本発明では、長尺構造物の周囲に該長尺構造物を覆うように設置される電波吸収シートを前提としている。
【００１１】
そして、可撓性を有していて、所定周波数の電波を吸収するシート本体と、このシート本体を断面湾曲状に保持する保持体とを備えているものとする。
【００１２】
尚、上記の構成において、保持体を、長尺構造物における長さ方向の少なくとも一部を囲繞可能な管材が周方向において複数に分割されてなるものとし、その上で、シート本体を、上記保持体に積層状態に保持させるようにすることができる。この場合、保持体を、上記管材が周方向において略等分に２分割されてなるものとしてもよい。
【００１３】
また、シート本体は、接着剤（例えば、弾性マスチック接着剤など）により保持体に貼着されていてもよいし、止着具（例えば、ビスやリベットなど）により保持体に止着されていてもよい。
【００１４】
さらに、シート本体としては、該シート本体の一方の面に入射された電波の一部を透過させつつ減衰させる電波吸収層と、この電波吸収層の長尺構造物側に位置するように該電波吸収層に積層されていて、該電波吸収層を透過した上記一部の電波を反射する電波反射層とを有するものとすることができる。
【００１５】
また、上記構成の電波吸収シートを設置する方法としては、上記長尺構造物に対し、複数の電波吸収シートを該複数の電波吸収シートのシート本体が上記長尺構造物における長さ方向の少なくとも一部を略全周に亘って囲繞するように配置し、しかる後、上記複数の電波吸収シートを結束して該複数の電波吸収シートを設置するようにすることができる。
【発明の効果】
【００１６】
本発明では、電波吸収シートは、保持体に断面湾曲状に保持されており、そのように構成された電波吸収シートを長尺構造物の周囲に設置することで、該長尺構造物をシート本体により覆うことができるので、現場での電波吸収シートの曲げ加工作業および長尺構造物に対する接着作業が不要であり、よって、長尺構造物に対する電波吸収シートの設置作業のみならず、その取外メンテナンス作業をも容易化することができる。
【発明を実施するための最良の形態】
【００１７】
以下、本発明に係る実施形態を、図面に基づいて説明する。
【００１８】
（実施形態１）
図１は、本発明の実施形態１に係る電波吸収シートの全体構成を示す斜視図であり、この電波吸収シート１０は、ＥＴＣシステムの料金所におけるブース上方のキャノピーを支持する断面円形状の支柱６０の周囲に該支柱６０を覆うように設置される。
【００１９】
本実施形態では、上記の電波吸収シート１０は、半円形状断面を有する保持体２０と、この保持体２０の外周側表面に積層されていて、断面半円形状に保持されたシート本体３０とを備えてなる。
【００２０】
具体的には、上記の保持体２０は、比較的軽量の材料からなる丸パイプを長さ方向に亘って径方向に半割りにしたものであり、その丸パイプの内径寸法は、支柱６０の外径寸法よりも少しだけ大き目である。尚、上記丸パイプの材料としては、ステンレス合金，アルミニウム合金，塩化ビニル樹脂など、公知のものから使用条件などに応じて適宜採用することができる。
【００２１】
図２に拡大して示すように、上記のシート本体３０は、可撓性を有していて、所定周波数の電波を吸収するものであり、該シート本体３０に入射された電波の一部を透過させつつ減衰させる電波吸収層３１と、この電波吸収層３１の支柱６０側（同図の下側）に位置するように該電波吸収層３１に積層されていて、該電波吸収層３１を透過した電波を反射する電波反射層３２とを有する他、電波吸収層３１における電波反射層３２とは反対の側（同図の上側）に積層されていて、電波を透過させる不燃層３３を有する。
【００２２】
電波吸収層３１の基本組成は、カルボニル鉄などの損失材料の粉末が、塩素化ポリエチレンなどのバインダで結合されてなっている。電波反射層３２は、ＰＥＴ（Poly Ethylene Terephthalate ）フィルムなどの担体３２ａにアルミニウム合金箔などの金属箔３２ｂが担持されてなっており、金属箔３２ｂが電波吸収層３１に接合する状態に積層されている。不燃層３３は、不燃性を有する化粧ガラスクロスからなっている。これら３層３１〜３３は、互いに重ね合わされた状態で例えばプレス熱圧着によりシート状に形成されている。また、本実施形態では、シート本体３０は、弾性マスチック接着剤などの接着剤により保持体２０に貼着されている。
【００２３】
次に、上記のように構成された電波吸収シート１０を支柱６０の周囲に該支柱６０を覆うように設置する作業手順について説明する。
【００２４】
先ず、２つの電波吸収シート１０，１０を各電波吸収シート１０の保持体２０が支柱６０に対面しつつ該２つの電波吸収シート１０，１０が支柱６０における長さ方向の一部を全周に亘って囲繞する状態に配置する。しかる後、２つの電波吸収シート１０，１０を上記の状態に保持しつつ、例えばステンレスバンドのような結束バンド４０を用いて２つの電波吸収シート１０，１０を結束する。具体的には、例えば、電波吸収シート１０の長さ方向寸法が１ｍ程度である場合には、１組の電波吸収シート１０，１０当り３箇所以上で結束することが好ましい。これにより、２つの電波吸収シート１０，１０を、該２つの電波吸収シート１０，１０のシート本体３０，３０が支柱６０における長さ方向の一部を全周に亘って覆うように設置することができる。そして、以上の作業を支柱６０における長さ方向の所要範囲に亘って繰り返すことにより、支柱６０に対する電波吸収シート１０，１０，…の設置作業が終了することとなる。尚、電波吸収シート１０，１０間の隙間に対しては、その隙間に例えばシリコーン系のシーリング材を充填して該隙間をシールするようにしてもよい。
【００２５】
したがって、本実施形態では、ＥＴＣシステムにおける料金所のキャノピーを支える断面円形状の支柱６０の周囲に該支柱６０を囲繞するように設置される電波吸収シート１０，１０，…として、内径寸法が支柱６０の外径寸法よりも大きい丸パイプを長さ方向に亘って半割にした断面半円形状の保持体２０にシート本体３０を断面半円形状に保持させたものを予め作製しておき、２つの電波吸収シート１０，１０を支柱６０の長さ方向の一部が全周に亘って囲繞されるように組み合わせて結束することで、支柱６０に対し電波吸収シート１０，１０，…を設置することができるので、従来のように電波吸収シートを現場にて曲げ加工しつつ接着剤により支柱６０に貼着するように場合に比べて、電波吸収シート１０の設置作業を容易化することができるのみならず、メンテナンスの際には、該当する電波吸収シート１０を容易に取り外すことができる。
【００２６】
尚、上記の実施形態では、電波吸収シート１０により支柱６０の長さ方向における一部を全周に亘って囲繞する際に、各々、断面半円形状をなす２つの電波吸収シート１０，１０を用いるようにしているが、各々、断面略円弧状をなす３つ以上の電波吸収シート１０，１０，…を用いるようにしてもよい。
【００２７】
また、上記の実施形態では、電波吸収シート１０の断面を半円形状とするようにしているが、その断面形状は、支柱６０の外表面の断面形状や作業性などに応じて適宜設定することができる。
【００２８】
また、上記の実施形態では、支柱６０の長さ方向における一部を全周に亘って囲繞するように配置した複数の電波吸収シート１０を結束するのに、結束バンド４０を使用するようにしているが、結束バンド４０以外では、例えばＵボルトなど、公知の結束具を適宜採用して使用することができる。
【００２９】
さらに、上記の実施形態では、周波数が５．８ＧＨｚである電波を吸収対象とするＥＴＣシステムにおけるブース上方のキャノピーを支える長尺構造物としての断面円形状の支柱６０に電波吸収シート１０を設置する場合について説明しているが、本発明は、支柱６０以外の長尺構造物に適用することができるのは勿論、種々の周波数の電波を使用するＤＳＲＣシステムにおける種々の長尺構造物に対する設置にも適用することができる。
【００３０】
（実施形態２）
図５は、本発明の実施形態２に係る電波吸収シートの全体構成を示しており、この電波吸収シート１０も、ＥＴＣシステムにおける料金所のキャノピー支柱６０に設置される。
【００３１】
本実施形態では、シート本体３０は、実施形態１の場合では接着剤により保持体２０に貼着されるのに代えて、ブラインドリベット５０により保持体２０に止着されている。
【００３２】
具体的には、シート本体３０の長さ方向の複数箇所（図示する例では３箇所）の各周方向両端部と、それに対応する保持体２０の部位とに、それぞれ下孔３０ａ，２０ａが設けられている。そして、それら下孔３０ａ，２０ａにブラインドリベット５０を挿通し、その軸部先端部を半径方向外方に膨出させることで、シート本体３０を保持体２０に止着するようになっている。尚、その他の部分は実施形態１の場合と同じであるので説明は省略する。
【００３３】
また、上記構成の電波吸収シート１０を支柱６０に設置する際に、例えば保持体２０の内周面の曲率半径ｒ１が、支柱６０の外周面の曲率半径ｒ２よりも大き目（ｒ１＞ｒ２）であって、そのままでは電波吸収シート１０の設置状態が不安定になるという場合には、保持体２０と支柱６０との間の隙間を十分に埋めることのできる程度の厚さ寸法Ｔ（＞ｒ１−ｒ２）を有するゴムシートなどの緩衝材７０を併用する。また、その緩衝材７０の厚さ寸法Ｔが大き過ぎて電波吸収シート１０，１０間に周方向の隙間が生じる場合には、その隙間に例えばシリコーン系のシーリング材８０を充填して該隙間をシールする。
【００３４】
したがって、本実施形態によっても、実施形態１の場合と略様の効果を奏することができる。
【００３５】
尚、上記の実施形態では、ブラインドリベット５０のみを用いるようにしているが、ブラインドリベット５０と接着剤とを併用するようにしてもよいし、さらには、ブラインドリベット５０以外の止着具（例えば、ビスなど）を用いるようにすることもできる。
【実施例】
【００３６】
ここで、ＥＴＣシステムにおいて使用される５．８ＧＨｚの電波を吸収対象とするシート本体３０の一実施例を説明する。
【００３７】
先ず、シート本体３０の電波吸収層３１を構成するための電波吸収層用シートとしては、先ず、塩素化ポリエチレンにカルボニル鉄を３８ｖｏｌ％の割合で混合し、さらに必要に応じて種々の添加剤を混合して混練する。混練作業は、７０〜１３０℃に加熱しつつ１０分〜１時間に亘って行う。その後、公知の成形方法（例えば、ロール圧延加工など）により、シート状に成形する。その際、層厚ｔはｔ＝１．８５±０．０３〔単位：ｍｍ〕とする。層厚のばらつきは、電波吸収特性に敏感に影響するので、そのようなばらつきは極力抑えるように配慮する必要がある。尚、ロール圧延加工の場合の加工条件の一例としては、ロール温度ｈをｈ＝１００〜１５０〔単位：℃〕、圧力ｐをｐ＝０．１〜２．０〔単位：ＭＰａ〕とすることが挙げられる。
【００３８】
シート本体３０の電波反射層３２を構成するための電波反射層用シートには、厚さ寸法ｔがｔ＝２５〔単位：μｍ〕である担体３２ａとしてのＰＥＴフィルムと、このＰＥＴフィルムに担持される厚さ寸法ｔが同じくｔ＝２５〔μｍ〕である金属箔３２ｂとしてのアルミニウム合金箔とを有するものを用いる。
【００３９】
シート本体３０の不燃層３３を構成するための不燃層用シートには、ユニチカグラスファイバー株式会社製のガラスクロスである「コーテッドガラスＫ（商品名）」を用いる。この商品は、ガラスクロスの両面がそれぞれ塩化ビニル樹脂フィルムで被覆されてなるものであり、建築基準法第２条第９号に規定される不燃材料（準認定番号：不燃（個）第１４４５号）である。厚さ寸法ｔは、不燃性を確保しつつ電波吸収層３１による電波吸収特性を十分に発揮させる観点からすると、ｔ＝２０〜５００〔単位：μｍ〕であることが好ましく、より好ましいのはｔ＝２０〜１００〔μｍ〕である。
【００４０】
そして、上記の電波吸収層用シートに対する電波反射層用シートおよび不燃層用シートの積層一体化は、例えば１００〜１５０℃に加熱しつつ、０．１〜２ＭＰａの圧力でもってプレスする熱圧着により行うようにしてもよいし、接着剤を介在させて又は接着剤のみにより行うようにしてもよい。尚、電波反射層用シートおよび不燃層用シートの積層一体化は、同時に行ってもよいし、順に行ってもよい。
【００４１】
次に、上記のようにして得られたシート本体３０の電波（周波数：５．８ＧＨｚ）に対する電波吸収特性を測定するテストを行った。テストの要領は、図７に示すように、シート本体３０に対する入射角度θが、０．０°≦θ≦４７．５°であるときの吸収特性〔単位：ｄＢ〕と、４７．５°＜θ≦５０．０°であるときの吸収特性とを計測した。その結果は、次表１に示すとおりである。
【００４２】
【表１】
2009239211.tif 000003
【図面の簡単な説明】
【００４３】
【図１】図１は、本発明の実施形態１に係る電波吸収シートの全体構成を示す斜視図である。
【図２】図２は、電波吸収シートの要部を拡大して示す部分断面図である。
【図３】図３は、支柱に対し電波吸収シートを設置する際の途中の状態を示す斜視図である。
【図４】図４は、支柱に対し電波吸収シートが設置された状態を示す側面図である。
【図５】図５は、本発明の実施形態２に係る電波吸収シートの全体構成を示す図１相当図である。
【図６】図６は、電波吸収シートの設置状態を模式的に示す断面図である。
【図７】図７は、本発明の実施例に係る電波吸収シートの電波反射特性を調べるために行ったテストの要領を模式的に示す断面図である。
【符号の説明】
【００４４】
１０  電波吸収シート
２０  保持体
３０  シート本体
３１  電波吸収層
３２  電波反射層
５０  ブラインドリベット（止着具）
６０  支柱（長尺構造物）
【図１】
2009239211.tif 000004
【図２】
2009239211.tif 000005
【図３】
2009239211.tif 000006
【図４】
2009239211.tif 000007
【図５】
2009239211.tif 000008
【図６】
2009239211.tif 000009
【図７】
2009239211.tif 000010